(57)【特許請求の範囲】
【請求項１】
電動工具のモータを駆動させるためのトリガスイッチであって、トリガをハウジング内に引き込むことにより該ハウジング内の接点機構を動作させて上記モータを駆動させるトリガスイッチにおいて、
上記ハウジング内部において、
上記モータの駆動用の主電流が流れる回路である高容量回路と、
上記モータの回転を制御する信号回路の接点機構が含まれる信号用回路と、
がそれぞれ独立して配置されており、
上記ハウジングの上記高容量回路が含まれる領域のみに通気孔が設けられていることを特徴とするトリガスイッチ。
【請求項２】
上記通気孔は、上記ハウジングの中央より、上記電動工具の工具部分の方向とは反対方向の位置に設けられていることを特徴とする請求項１に記載のトリガスイッチ。
【請求項３】
上記通気孔は、上記ハウジングの上記トリガが引き込まれる面とは反対側の面に設けられていることを特徴とする請求項１または２に記載のトリガスイッチ。
【請求項４】
上記高容量回路を含む第１領域は、上記信号用回路を含む第２領域よりも、上記電動工具の工具部分の方向とは反対方向に位置していることを特徴とする請求項１〜３のいずれか１項に記載のトリガスイッチ。
【発明の詳細な説明】
【技術分野】
【０００１】
本発明は、電動工具等に使用されるトリガスイッチに関するものである。
【背景技術】
【０００２】
従来から、電動工具等にトリガスイッチが用いられている。電動工具は、対象物を削ったり、穴を開けたりすることに用いられるため、使用時に塵埃等が飛びやすい。飛び散った塵埃等は、トリガ操作等によるトリガスイッチ内部への空気の出入りにより、トリガスイッチの内部へと入りやすい。トリガスイッチの内部に入り込んだ塵埃等は、トリガスイッチの機構や接点等に悪影響を及ぼしてしまう。
【０００３】
そこで、塵埃等によるトリガスイッチの機構や接点等に対する悪影響を防止するために、様々な対策が講じられている。例えば、特許文献１では、トリガ操作によるトリガスイッチ内部への空気の出入りを抑える技術が開示されている。特許文献１では、トリガの直線的な動作を回転動作に変更する歯車を備え、直線的な動作によって、スイッチの内部空間の体積が変わってしまうことを防止して、スイッチ内部への空気の出入りを抑えている。
【先行技術文献】
【特許文献】
【０００４】
【特許文献１】特開２０１１−６５７６７号公報（２００１年３月３１日公開）
【発明の概要】
【発明が解決しようとする課題】
【０００５】
しかしながら、上記従来の構成では、直線的な動作を回転動作に変更するための機構が必要となるため構造が複雑になってしまう。
【０００６】
また、構造が複雑になった場合、当該部分に塵埃等が付着してしまうと動作の不具合が生じる可能性が高くなる。
【０００７】
本発明は、上記の問題点に鑑みてなされたものであり、その目的は、構造を複雑にせずに塵埃等による動作不具合を減少できるトリガスイッチを実現することにある。
【課題を解決するための手段】
【０００８】
上記課題を解決するために、本発明に係るトリガスイッチは、電動工具のモータを駆動させるためのトリガスイッチであって、トリガをハウジング内に引き込むことにより該ハウジング内の接点機構を動作させて上記モータを駆動させるトリガスイッチにおいて、上記ハウジング内部を、上記モータの駆動用の主電流が流れる回路が含まれる領域である第１領域と、上記モータの回転を制御する信号回路の接点機構が含まれる領域である第２領域と、に分け、上記ハウジングの上記第１領域の外周面に通気孔が設けられていることを特徴としている。
【０００９】
第１領域は、自トリガスイッチによって駆動するモータの駆動用の主電流が流れる回路が含まれる領域である。主電流が流れる回路は通電電流が大きく、塵埃等による動作不具合が発生する可能性が低い。よって、この第１領域に塵埃等が流れ込んできても、トリガスイッチが動作不具合を起こす可能性は低い。
【００１０】
そして、上記の構成によれば、通気孔がハウジングの第１領域の外周面に設けられているので、ハウジングの内部に流れ込む塵埃等を第１領域に誘導することができる。これにより、塵埃等による動作不具合が発生する可能性を減らすことができる。
【００１１】
また、トリガをハウジング内に引き込むことにより接点機構を動作させる構成なので、簡易な構成でトリガスイッチを実現できる。これにより、例えば、引き込む動作を回転動作に変換する機構等を設けた構成等の複雑な構成を設けることにより、塵埃等の影響が大きくなってしまうことを防止することができる。
【００１２】
本発明に係るトリガスイッチでは、上記通気孔は、上記ハウジングの中央より、上記電動工具の工具部分の方向とは反対方向の位置に設けられていてもよい。
【００１３】
電動工具は、通常、トリガスイッチよりも工具部分の位置が上に来るようにして使用される。したがって、トリガスイッチのハウジングの工具部分方向の面、すなわち通常の使用時において上面となる面には、塵埃等が溜まりやすい。上記の構成によれば、通常の使用時において、ハウジングの中央よりも下側となる位置に通気孔が設けられるので、ハウジングの上面に溜まった塵埃等が入り込みにくくなる。よって、塵埃等による動作不具合を減少させることができる。
【００１４】
本発明に係るトリガスイッチでは、上記通気孔は、上記ハウジングの上記トリガが引き込まれる面とは反対側の面に設けられていてもよい。
【００１５】
上記の構成によれば、通気孔が、ハウジングのトリガが引き込まれる面とは反対側の面に設けられるので、トリガの動作によるハウジング内の空気の出入りを容易にすることができる。
【００１６】
また、ハウジングに対してトリガと工具とは、同じ方向に設けられることが多い。よって、ハウジングのトリガが引き込まれる面とは反対側の面に通気孔を設けることにより、塵埃等の流入量を減少させることができる。
【００１７】
さらに、トリガスイッチが備えられる電動工具の内部では、ハウジングのトリガが引き込まれる面とは反対側の面（反対面）に支持壁が設けられることが多い。この支持壁が設けられている場合、上記反対面近傍には塵埃等があまり存在していないことが多い。よって、上記反対面に通気孔を設けることにより、塵埃等の流入量を減少させることができる。
【００１８】
本発明に係るトリガスイッチでは、上記第１領域は、上記第２領域よりも、上記電動工具の工具部分の方向とは反対方向に位置していてもよい。
【００１９】
上述したように、電動工具は、通常、トリガスイッチよりも工具部分が上に来るようにして使用される。よって、ハウジングにおける、電動工具の工具部分方向とは、通常の使用時における上方向となる。したがって、上記の構成によれば、第１領域は、通常の使用時において、第２領域よりも下側となる位置に設けられることになる。電源やコネクタ等は、通常の使用時においてハウジングの下部となる位置に設けられることが多いので、第１領域を下側とすることにより、上記電源やコネクタとの距離を近くすることができる。これにより、余計な配線等を行う必要がなくなり、回路構成を容易にすることができる。
【発明の効果】
【００２０】
以上のように、本発明に係るトリガスイッチは、ハウジング内部を、モータの駆動用の主電流が流れる回路が含まれる領域である第１領域と、上記モータの回転を制御する信号回路の接点機構が含まれる領域である第２領域と、に分け、上記ハウジングの上記第１領域の外周面に通気孔が設けられている構成である。
【００２１】
これにより、塵埃等による動作不具合が発生する可能性を減らすことができるという効果を奏する。
【図面の簡単な説明】
【００２２】
【図１】本発明の実施の形態に係るトリガスイッチの外観を示すものであり、（ａ）はトリガスイッチ１の外観を示す斜視図であり、（ｂ）は（ａ）の一部を拡大した図であり、（ｃ）は（ａ）の一部を切り取った断面を示す図であり、（ｄ）は（ｃ）の一部を拡大した図である。
【図２】上記トリガスイッチの斜視分解図である。
【図３】上記トリガスイッチの斜視分解図である。
【図４】上記トリガスイッチのハウジング部分を側面から見た断面を示す図である。
【図５】上記トリガスイッチのハウジング部分を側面から見た断面を示す図である。
【図６】上記トリガスイッチの回路構成を示す図であり、（ａ）は信号用回路を示す図であり、（ｂ）はモータ駆動用回路を示す図である。
【図７】上記トリガスイッチが電動ドリルに備えられた様子を示す図であり、（ａ）は電動ドリルの筐体に備えられたトリガスイッチを示す斜視図であり、（ｂ）は電動ドリルの筐体に備えられたトリガスイッチを示す側面図であり、（ｃ）は電動ドリルの筐体に備えられたトリガスイッチを示す斜視図である。
【発明を実施するための形態】
【００２３】
〔トリガスイッチ１の構成〕
本発明の一実施の形態について図１から図７に基づいて説明すれば、以下のとおりである。本実施の形態に係るトリガスイッチ１は、電動ドリル等に組み入れられて用いられるものである。本実施の形態では、トリガスイッチのトリガ１１が押し込まれる方向をｘ方向、ユーザが電動ドリルを使用するときに上方向となるトリガスイッチ１の方向をｚ方向、ｘ方向とｚ方向とで作られる面に対し垂直な方向をｙ方向とする。なお、ｚ方向は、上方向とも呼び、ｚ方向の反対方向は下方向とも呼ぶ。
【００２４】
まず、図１を参照して本実施の形態に係るトリガスイッチ１の概要を説明する。図１は、トリガスイッチ１の概要を説明するための図であり、（ａ）はトリガスイッチ１の外観を示す斜視図であり、（ｂ）は（ａ）の一部を拡大した図であり、（ｃ）は（ａ）の一部を切り取った断面を示す図であり、（ｄ）は（ｃ）の一部を拡大した図である。
【００２５】
図１（ａ）に示す外観図では、トリガスイッチ１のトリガ１１、第１カバー１２、第２カバー１３、蛇腹状筒体１４、操作レバー５２、および呼吸穴（通気孔）１００が示されており、第１カバー１２および第２カバー１３によりハウジング５が構成されている。
【００２６】
トリガスイッチ１の構造の詳細については、後述するが、トリガスイッチ１のハウジング５では、トリガ１１が押し込まれる（引き込まれる）面の反対面（外周面）の−ｚ方向（下方向）側に呼吸穴１００を設け、これ以外については塞いだ構成となっている。これにより、ハウジング５の内部には呼吸穴１００のみから塵埃等が出入りすることになる。
【００２７】
より詳細には、トリガ１１が押し込まれる（＋ｘ方向に移動する）ことにより、ハウジング５内の空間に存在していた空気がハウジング５の外部に排出される。逆に、トリガ１１が押し込まれた状態から初期位置に戻る（−ｘ方向に移動する）と、ハウジング５の外部に存在していた空気がハウジング５の内部に取り込まれる。このとき、塵埃等を含んだ空気がハウジング５の内部に入り込まれることになる。
【００２８】
そして、ハウジング５の内部では、上側（＋ｚ方向側）が、回転制御用信号の接点が含まれる領域（制御信号接点領域）に、下側（−ｚ方向側）が、モータ駆動用の主電流が流れる回路領域（高容量回路領域）となっている。上述したように呼吸穴１００は、ハウジング５の下側、すなわち高容量回路領域側に設けられている。詳細は後述するが、高容量回路領域では、通電電流が大きく塵埃等による接触不具合が発生し難いのに対し、制御信号接点領域では、通電電流が小さく塵埃等による接触不具合が発生しやすい。よって、ハウジング５の下側に呼吸穴１００を設けることで、ハウジング５に入り込む塵埃等を高容量領域に誘導することができ、塵埃等による動作不具合の発生を最小限に抑えることができる。
【００２９】
また、呼吸穴１００を、ハウジング５のトリガ１１が押し込まれる面と反対側の面に設けることで、トリガ１１を押し込んだときのハウジング５内の内部空気の排出が容易となり、スムーズな操作感を提供することができる。
【００３０】
図１（ｂ）に、図１（ａ）のＡ部分を拡大した図を示す。図１（ｂ）に示すように、呼吸穴１００は、第１カバー１２と第２カバー１３とが組み合わせられる位置に設けられている。また、図１（ｄ）に、図１（ａ）のＢ−Ｂ線で切り取ったときの断面の拡大図を示す。図１（ｄ）に示すように、呼吸穴１００は、第１カバー１２と第２カバー１３とが組み合わされる位置に設けられており、その構造は、いわゆる印籠継ぎになっている。これにより、第１カバー１２と第２カバー１３とが組み合わされた後に、容易に外れてしまうことを防止することができる。
【００３１】
次に、図２、３を参照して、トリガスイッチ１の内部構造について説明する。図２、３は、トリガスイッチ１の斜視分解図である。
【００３２】
図２に示すように、トリガスイッチ１は、第１カバー１２と第２カバー１３とを組み合わせて形成されたハウジング５内に、ベース６６、プランジャ６９、プリント基板７３等の内部構成部品を組み込むとともに、トリガ１１および操作レバー５２を組み付けたものである。
【００３３】
ベース６６には、上側に第１可動接点６３、固定接点端子５８、下側に第２可動接点６４が組み入れられるとともに、それぞれの可動接点を支持し、接点を閉じる方向に付勢している接点押圧用コイルバネ６２、６５が組み付けられる。また、第１可動接点６３と固定接点端子５８とが、トリガ１１が最大に押し込まれたときに接触するようになっている。また、ベース６６の下部面には共通端子６１、６８が組み入れられる。
【００３４】
プランジャ６９は、ベース６６内にスライド可能に嵌合し、その外向側面に第１摺動子７０および第２摺動子７１が組み込まれている。そして、プランジャ６９の外向側面に取り付けられた第１摺動子７０が、後述するプリント基板７３の図示しない摺動抵抗体に沿って摺動することにより、抵抗値が変化する。
【００３５】
プリント基板７３は、第１カバー１２、第２カバー１３内に収納可能な面形状を有し、コネクタ７２と電気的に接続するとともに、その内向面に図示しない摺動抵抗体をプリントしてある。そして、プリント基板７３は、プランジャ６９を収納したベース６６に位置決めされて、ベース６６と一体化される。
【００３６】
トリガ１１は、側方に突出する操作軸を蛇腹状筒体１４に挿通し、突出する先端部近傍に設けた切り欠き溝をプランジャ６９にスライド係合するとともに、その先端部に復帰用コイルバネ５７の一端部が嵌合されている。そして、復帰用コイルバネ５７は、トリガ１１およびプランジャ６９をハウジング５から外方に押し出すように付勢している。
【００３７】
操作レバー５２は、その一端部に操作レバー用コイルバネ５３を介して鋼玉５４が外方に付勢するように組み付けられているとともに、その一端側の下面に切換用コイルバネ５５を介して切換用可動接点５６が組み付けられている。そして、前記操作レバー５２の軸部がシールゴム５１に嵌合され、回動可能に支持されていとともに、一方に回動したときに切換用接点端子６７と接続する。以上が、トリガスイッチ１の構成である。
【００３８】
〔トリガスイッチ１の操作〕
次に、トリガスイッチの操作について説明する。
【００３９】
まず、操作レバー５２が中立位置にあるとき、操作レバー５２の一端部がトリガ１１の中央突部に当接することにより、トリガ１１を押し込めない。これにより、誤操作を防止している。
【００４０】
そして、操作レバー５２を回転させた後、トリガ１１を引き込む前は、第１摺動子７０がプリント基板６０の摺動抵抗体（図示せず）に接触して最大抵抗値となっている。また、第１可動接点６３、第２可動接点６４は、それぞれ接点押圧用コイルバネ６２、６５に付勢されているが、プランジャ６９に接点とは反対側を押さえこまれることにより、接点が開いている。
【００４１】
次に、ユーザがトリガ１１を僅かに押し込むと、トリガ１１と一体となっている操作軸に係合するプランジャ６９がスライド移動する。これにより、第２可動接点６４が接触し、モータへ電流が流れる準備状態となる。
【００４２】
その後、さらにトリガ１１が押し込まれると、プランジャ６９に組み付けられた第１摺動子７０がプリント基板７３の摺動抵抗体上を摺動して、抵抗が変化し、モータが回転を始めるとともに、抵抗の変化によって回転数が増大する。
【００４３】
さらに、トリガ１１が押し込まれ、操作軸がベース６６の奧側まで押し込まれると、第１可動接点６３が回動して接点が閉じ、最大電流が流れてモータの回転数が最大になる。
【００４４】
その後、ユーザがトリガ１１を押し込む力を緩めると、復帰用コイルバネ５７のバネ力によってプランジャ６９が押し戻され、元の状態に復帰して、モータの回転が徐々に遅くなり、停止する。
【００４５】
また、操作レバー５２を上述した方向とは反対の方向に回転させると、モータの回転方向が逆になる。
【００４６】
なお、図３は、図２と同様のトリガスイッチ１の斜視分解図を方向を変えて示している。
【００４７】
〔回路構成〕
次に、トリガスイッチ１の回路構成について、図４〜６を参照して説明する。図４、５は、トリガスイッチ１のハウジング５の側面から見た断面を示す図であり、図６は、トリガスイッチ１の回路構成を示す図である。
【００４８】
図４は、トリガ１１が押し込まれていない状態を示すものである。ハウジング５内には、電源回路の接点（接点機構）であるＳＷ１〜５が含まれている。
【００４９】
ＳＷ１は、モータを駆動させるための主電流の入り／切りを行う電源遮断接点である。図４に示すようにＳＷ１は、ハウジング５の下部に設けられている。これは、電動ドリル等の電動工具は、電源を下部から取ってくるのが一般的であるため、なるべく電源に近い方が好ましいこと、およびコネクタ７２に近いほうが、余計な配線を行わずに済むこと等による。
【００５０】
このＳＷ１が閉じられることにより、モータへ電流が流れる準備状態となる。ＳＷ１は、図２、３に示す構成部品における、第２可動接点６４に相当する。
【００５１】
ＳＷ２は、モータの回転速度等を変更するための変速回路の電源を入り／切りするためのメイン接点である。図４に示すように、ＳＷ２は、ハウジング５の中央よりやや上の部分に設けられている。このＳＷ２が閉じられることにより、モータの回転速度を制御することが可能となる。ＳＷ２は、図２、３に示す構成部品における第２摺動子７１に相当する。
【００５２】
ＳＷ３は、モータの回転速度を変更するための摺動抵抗を可変する摺動抵抗可変接点である。図４に示すように、ＳＷ３は、ハウジング５のＳＷ２のさらに上部に設けられている。このＳＷ３の位置が移動することにより、モータの回転速度が変わる。ＳＷ３は、図２、３に示す構成部品における第１摺動子７０に相当する。
【００５３】
ＳＷ４は、モータの回転速度を全速回転にするための全速接点である。図４に示すように、ＳＷ４は、ハウジング５の上部に設けられている。このＳＷ４が閉じられることにより、モータは全速回転を行う。ＳＷ４は、図２、３に示す構成部品における第１可動接点６３に相当する。
【００５４】
ＳＷ５は、モータの回転方向を変更するための正逆切換接点である。図４に示すように、ＳＷ５は、ハウジング５の上部に設けられている。このＳＷ５が切り換えられることのより、モータの回転方向が切り換わる。ＳＷ５は、図２、３に示す構成部品における操作レバー５２の下部に設けられている。
【００５５】
そして、ＳＷ１は、モータ駆動用の主電流の接点であるため、通電電流が大きい。おおよそ、ＤＣ２５．２Ｖ、１０Ａの電流が流れ、５０Ａ以上の突入電流が流れることもある。また、通電電流が大きいため、塵埃等が付着したとしても動作不具合を起こす可能性が低い。本実施形態では、このＳＷ１は含まれるハウジング５の下部領域を高容量回路領域（第１領域）２０１と呼ぶ。すなわち、高容量回路領域２０１とは、モータ駆動用の主電流の流れる回路が含まれる領域である。
【００５６】
また、ＳＷ２〜ＳＷ５は、モータの回転を制御するための信号用回路の接点であり、通電電流が小さい。おおよそ、ＤＣ５Ｖ（または、ＤＣ２５．２Ｖ）、２ｍＡの電流が流れる。そして、通電電流が小さいため、塵埃等が付着すると、動作不具合を起こす可能性が高い。本実施の形態では、このＳＷ２〜ＳＷ５が含まれるハウジング５の上部領域を信号用回路領域（第２領域）２０２と呼ぶ。すなわち、信号用回路領域２０２とは、回転制御用信号の接点が含まれる領域である。
【００５７】
そして、本実施の形態では、信号用回路領域２０２をハウジング５の上部側（＋ｚ方向側）、高容量回路領域２０１をハウジング５の下部側（−ｚ方向側）に設けている。上述したように、信号用回路領域２０２は塵埃等に弱く、高容量回路領域２０１は塵埃等に強い。そして、呼吸穴１００は、高容量回路領域２０１のトリガ１１とは反対側の面に設けられている。
【００５８】
これにより、塵埃等は、高容量回路領域２０１に入り込むため、トリガスイッチ１が動作不具合を起こす可能性を減少させることができる。
【００５９】
なお、ＳＷ２は、他の信号用接点（ＳＷ３〜ＳＷ５）よりも高い電圧がかかっているため、高容量回路領域２０１の近辺に配置されていてもよい。
【００６０】
また、高容量回路領域２０１と信号用回路領域２０２との間に仕切り壁が設けられた構成であってもよい。仕切り壁が設けられることにより、信号用回路領域２０２に塵埃等が入り込むことをほぼ完全に防止することができ、よりトリガスイッチ１が動作不具合を起こすことを防止することができる。
【００６１】
また、高容量回路領域２０１と信号用回路領域２０２とを、通電電流の大きさで分けてもよい。例えば、１Ａ以上の電流が流れる領域を高容量回路領域２０１とし、１Ａ未満の電流が流れる領域を信号用回路領域２０２としてもよい。
【００６２】
図５は、トリガ１１が押し込まれた状態を示す図である。図５に示すように、トリガ１１が押し込まれると、プランジャ６９がハウジング５の内部空間を狭める。これにより、ハウジング５の内部空間に存在していた空気がハウジング５の外へ排出される。本実施の形態では、呼吸穴１００を介して排出される。
【００６３】
反対に、トリガ１１が押し込まれた状態から、図４に示すような初期位置の状態に戻ると、ハウジング５の内部空間が広がる。これにより、ハウジング５の外部の空気がハウジング５の内部に入る。この、ハウジング５の外部から内部へ入る空気も呼吸穴１００を介して入ることになる。
【００６４】
図６は、トリガスイッチ１の回路構成を示す図であり、図６（ａ）は、信号用回路を示す図であり、図６（ｂ）は、モータ駆動用回路を示す図である。図６（ａ）に示すように、信号用回路はＣＮ１〜ＣＮ５までの接続点があるコネクタ７２を含む回路となっており、ＳＷ２がメインスイッチ、ＳＷ５が切り換えスイッチ、ＳＷ３が可変抵抗スイッチ、ＳＷ４が短絡スイッチとなっている。また、図６（ｂ）に示すように、モータ駆動用回路は、ＳＷ１が電源スイッチとなっている。
【００６５】
〔トリガスイッチ１が電動ドリル１０に備えられる様子〕
次に、トリガスイッチ１が電動ドリル１０に備えられた様子について、図７を参照して説明する。図７は、トリガスイッチ１が電動ドリル１０に備えられた様子を示す図であり、図７（ａ）は電動ドリル１０の筐体に備えられたトリガスイッチ１を示す斜視図であり、図７（ｂ）は、電動ドリル１０の筐体に備えられたトリガスイッチ１を示す側面図であり、図７（ｃ）は、電動ドリル１０の筐体に備えられたトリガスイッチ１を示す斜視図である。
【００６６】
図７（ａ）〜（ｃ）では、電動ドリル１０の詳細な構成、およびドリル部分は示してないが、ドリル部分は、トリガスイッチ１の上側（＋ｚ方向側）に備えられている。そして、図（ａ）〜（ｃ）に示すように、トリガスイッチ１は、電動ドリル１０の中央部分で、ユーザが把持する部分に備えられている。換言すれば、トリガスイッチ１のトリガ１１が、ちょうどユーザの指がかかる位置に配置されている。
【００６７】
また、トリガスイッチ１は、電動ドリル１０の内部に備えられた位置決め用リブ３２、３３に載置されるように組み入れられ、トリガスイッチ１の反対面（＋ｘ方向の面）にはトリガスイッチ１の支持壁３１が備えられている。また支持壁３１の、呼吸穴１００に相当する位置には、呼吸穴１００と同サイズの穴３５が設けられている。
【００６８】
トリガスイッチ１のｘ方向側に支持壁３１が設けられていることにより、ハウジング５のトリガ１１が押し込まれる面とは反対の面（反対面）には、塵埃等があまり存在しない。よって、上記反対面に呼吸穴１００を設けることにより、呼吸穴１００がハウジング５の内部に入り込む塵埃等を減少させることができる。
【００６９】
〔効果〕
上述したように、本実施の形態に係るトリガスイッチ１は、ハウジング５のトリガ１１とは反対側（＋ｘ方向側）の面の下部（−ｚ方向側）に呼吸穴１００を設けた構成である。また、ハウジング５内では、信号用回路領域２０２が上部側に、高容量回路領域２０１が下部側に配置されている。
【００７０】
これにより、トリガ１１の操作等によりハウジング５に入り込む塵埃等を、ハウジング５内の高容量回路領域２０１側に誘導することができる。そして、高容量回路領域２０１では、塵埃等による動作不具合が発生し難い。よって、塵埃等によるトリガスイッチ１の動作不具合の発生を減少させることができる。
【００７１】
また、本実施の形態に係るトリガスイッチ１では、トリガ１１の直線的な動作を回転運動に変える等の機構を有しておらず、簡易な機構である。よって、機構が複雑になることにより塵埃等の影響を受け易くなることを防止することができる。
【００７２】
また、本実施の形態に係るトリガスイッチ１では、呼吸穴１００が、ハウジング５のトリガ１１とは反対側の面に設けられている。これにより、トリガ１１の操作によるハウジング５内の空気の排出が容易となり、トリガ１１の操作感を向上させることができる。
【００７３】
また、本実施の形態に係るトリガスイッチ１では、高容量回路領域２０１が、ハウジング５の下部側に設けられている。これにより、高容量回路領域２０１を電源やコネクタの近傍に配置することができ、余分な配線等を減らすことができ、回路構成を簡易にすることができる。
【００７４】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７５】
塵埃等に強いトリガスイッチなので、塵埃等が発生しやすい場所で使用される電動工具、例えば、電動ドリルに好適である。
【符号の説明】
【００７６】
１    トリガスイッチ
５    ハウジング
１０    電動ドリル
１１    トリガ
１２    第１カバー
１３    第２カバー
１００    呼吸穴（通気孔）
２０１    高容量回路領域（第１領域）
２０２    信号用回路領域（第２領域）
ＳＷ１〜５    接点（接点機構）
【図１】
0005884450.tif 000002
【図２】
0005884450.tif 000003
【図３】
0005884450.tif 000004
【図４】
0005884450.tif 000005
【図５】
0005884450.tif 000006
【図６】
0005884450.tif 000007
【図７】
0005884450.tif 000008